(57)【要約】【課題】  低コスト、かつ、簡易な方法で車両に給液することのできる移動式給液機を提供する。【解決手段】  車両３に給液するための液を貯留するタンク１０と、タンク１０に液を移送するための移送口２０と、タンク１０内の液を汲み出すためのポンプ１１と、タンク１０内の液を輸送するための流路と、流路の先端に設けられたノズル３０と、ノズル３０を本体に掛け置くためのノズルハンガ３０Ｈと、流路を流れる液の流量を検出する流量計１２と、流量計１２に接続され、流量に応じたパルス信号を発信する流量発信器１３と、発信器１３からのパルス信号に基づき流量を積算して給液量を算出する制御部１５と、算出された給液量を表示する表示器１６とを搭載した移動用の車輪１９を持つ。前記制御部１５は、タンク１０に移送されるコンテナ２内の液の残量の管理を行う。【選択図】    図３
2006327592.tif 000002
【特許請求の範囲】
【請求項１】
車両に給液するための液を貯留するタンクと、
前記タンクに液を移送するための移送口と、
前記タンク内の液を汲み出すためのポンプと、
前記タンク内の液を輸送するための流路と、
前記流路の先端に設けられたノズルと、
前記ノズルを本体に掛け置くためのノズルハンガと、
前記流路を流れる液の流量を検出する流量計と、
前記流量計に接続され、前記流量に応じたパルス信号を発信する流量発信器と、
前記発信器からの前記パルス信号に基づき前記流量を積算して給液量を算出すると共に、前記タンクに移送されるコンテナ内の液の残量の管理を行う制御部と、
前記算出された給液量を表示する表示器と、
を搭載した移動用の車輪を持つ移動式給液機。
【請求項２】
請求項１において、前記移送口が前記ポンプおよび流量計を介して前記タンクに連通する移送モードと、
前記タンクが前記ポンプおよび流量計を介して前記ノズルに連通する給液モードとを備えた移動式給液機。
【請求項３】
請求項１もしくは２において、車両への給液完了後に、給液量をＰＯＳ端末に無線で出力する通信手段を更に備えた移動式給液機。
【請求項４】
請求項１もしくは２において、車両への給液完了後に、前記コンテナ内の液の残量をＰＯＳ端末に無線で出力する通信手段を更に備えた移動式給液機。
【請求項５】
請求項１ないし４のいずれか１項において、前記タンクに移送された液の積算値に基づいて、前記コンテナ内の液の残量の管理を前記制御部が行うことを特徴とする移動式給液機。
【請求項６】
請求項１ないし４のいずれか１項において、前記ノズルから吐出された液の積算値に基づいて、前記コンテナ内の液の残量の管理を前記制御部が行うことを特徴とする移動式給液機。
【請求項７】
請求項１ないし４のいずれか１項において、前記タンク内の液の残量を検出する液量計を更に備え、該液量計の検出値の変化に基づいて前記コンテナ内の液の残量の管理を前記制御部が行う移動式給液機。
【発明の詳細な説明】
【技術分野】
【０００１】
本発明は、給油所において車両に添加剤水溶液などを給液するのに用いられる移動式給液機に関する。
【背景技術】
【０００２】
従来より、以下の装置が提案されている。
タンクと分離された移動可能な給油装置（特許文献１）。
ドラム缶を内蔵した給油装置（特許文献２）。
地下タンクの油液を給油できる可搬式給油装置（特許文献３，特許文献４）。
手動で給油できるタンク内蔵の移動可能な給油装置（特許文献５）。
燃料を大型移動タンク、小型移動タンク、簡易タンクの順に移送して簡易タンクで給油するシステム（特許文献６）。
【特許文献１】特開昭５１−０９５６１０号（要約）
【特許文献２】特開昭５１−１０５６１１号（要約）
【特許文献３】特開平１０−０１７０９９号（要約）
【特許文献４】特開平１０−１１４４００号（要約）
【特許文献５】特開２００１−３０１８９９（要約）
【特許文献６】特開２００１−３３５０９７（要約）
【発明の開示】
【０００３】
近年、ディーゼルエンジンの排ガスのいわゆるＮＯｘ酸化物を減少させるための対策として、ディーゼルエンジン車に尿素水等の添加剤水溶液を給液し、その添加剤水溶液を排ガスに噴射することでＮＯｘ酸化物を低減させる方法が実用化されつつある。
【０００４】
一方、従来より、給油所ではガソリン、軽油等の油液を地下タンクに一時保留して給油場所に固定設置した給油装置まで配管を敷設して車両に油液を給油している。
しかし、尿素水の保留場所として新たに地下タンクを埋設するには多大な費用がかかり、また、工事の間は給油所の一部を閉鎖する等の通常の業務にも支障がある。
【０００５】
そのため、以下の方法が考えられる。すなわち、尿素水の一時保留場所として、尿素水を入れた大きなコンテナタンク（以下、「コンテナ」という。例えば１０００リットル入り）を給油所の給油車両の進入や給油の邪魔にならない場所に設置する。このコンテナから小規模なタンク（例えば５０リットル入り）を内蔵した移動可能な移動式給液機に尿素水を移す。この移動式給液機を給液場所に移動させ、車両に給液する。
【０００６】
しかし、この方法では、コンテナから移動式給液機に尿素水を移送する手段と、移動式給液機から車両に給液する手段とを別々に用意する必要があるため、コストアップは免れない。また、コンテナの尿素水の残量を計測して管理するために、液面計などの計測機器をコンテナに別途設ける必要がある。
【０００７】
したがって、本発明の目的は、低コスト、かつ、簡易な方法で車両に給液することのできる移動式給液機を提供することである。
【０００８】
前記目的を達成するために、本発明の移動式給液機は、車両に給液するための液を貯留するタンクと、前記タンクに液を移送するための移送口と、前記タンク内の液を汲み出すためのポンプと、前記タンク内の液を輸送するための流路と、前記流路の先端に設けられたノズルと、前記ノズルを本体に掛け置くためのノズルハンガと、前記流路を流れる液の流量を検出する流量計と、前記流量計に接続され、前記流量に応じたパルス信号を発信する流量発信器と、前記発信器からの前記パルス信号に基づき前記流量を積算して給液量を算出すると共に、前記タンクに移送されるコンテナ内の液の残量の管理を行う制御部と、前記算出された給液量を表示する表示器と、を搭載した移動用の車輪を持つことを特徴とする。
【０００９】
本発明によれば、移動用の車輪を持っているので、種々の態様で給液を行うことができる。たとえば、１０００リットル入りのコンテナを給油所の隅に別置きして、該コンテナから本移動式給液機に液を移し替え、更に車両に給液することが可能となる。
また、コンテナから移動式給液機のタンクに液を移送するための移送口を設けたので、移動式給液機に給液するための装置を、別途コンテナに設ける必要がないから、コストアップを招くおそれもない。
さらに、コンテナに管理用設備を設けることなく、コンテナ内の液の在庫管理が可能となる。
【００１０】
本発明の好ましい実施例においては、前記移送口が前記ポンプおよび流量計を介して前記タンクに連通する移送モードと、前記タンクが前記ポンプおよび流量計を介して前記ノズルに連通する給液モードとを備える。
この実施例においては、１つのポンプおよび流量計により、タンクへの移送と車両への給液の双方を行うことが可能となる。
【００１１】
本発明において、車両への給液完了後に、給液量やコンテナ内の液の残量をＰＯＳ端末に無線で出力する通信手段を更に備えているのが好ましい。
この態様によれば、通信線を必要とせずにＰＯＳ端末による集計や伝票の発行、あるいは、液の残量の管理が可能となる。
【００１２】
本発明において、前記タンクに移送された液の積算値に基づいて、前記タンクに移送されたコンテナ内の液の残量の管理を前記制御部が行うのが好ましい。
この態様によれば、液の在庫管理が可能となる。
【００１３】
本発明において、前記ノズルから吐出された液の積算値に基づいて、前記タンクに移送されたコンテナ内の液の残量の管理を前記制御部が行うことが好ましい。
この態様によれば、液の在庫管理が可能となる。
【発明を実施するための最良の形態】
【００１４】
以下、本発明の移動式給液機の一実施例を図面にしたがって説明する。
図１は本発明にかかる移動式給液機１の用い方の一例を示している。移動式給液機１は、たとえば、尿素水などの添加剤水溶液（以下、「液」という）などを車両に給液するためのものであり、移送モードと給液モードとを備えている。
【００１５】
図１Ａに示す移送モードにおいて、本移動式給液機１は、前記液の入れられたコンテナ２から該液を移動式給液機１内に移送する。
一方、移動式給液機１は、移送用の車輪１９を含む台車本体を備えており、移動式給液機１は車両３の近傍に移動された後、図１Ｂに示す給液モードにおいて、該車両３に給液を行う。
なお、前記液の入れられたコンテナ２は、たとえば、１０００リットルの液が入れられた状態で工場から出荷され、給油所に運ばれて該給油所の隅など、所定の場所に荷下しされたものである。
【００１６】
機器構成：
図２に示すように、移動式給液機１は、前記液を貯留するためのタンク１０を備えている。タンク１０は、たとえば、５０リットル程度の液を貯留することができる。タンク１０内には、移送管２３および給液管３３が挿入されている。
移送管２３は第１三方弁４１に接続されている。第１三方弁４１は、給液ホース３１および共通流路４０の一端に接続されている。
給液管３３は第２三方弁４２に接続されている。第２三方弁４２は、移送ホース２１および前記共通流路４０の他端に接続されている。
したがって、共通流路４０の両端部は、第１三方弁４１と第２三方弁４２とに、それぞれ接続されている。
【００１７】
前記両三方弁４１，４２は、たとえば、電磁弁で構成された切換弁からなり、２方向の流路の切換が可能である。両三方弁４１，４２の切換により、以下に示す２種類の流路が形成される。
両三方弁４１，４２を、図３Ａに示す移送モードに切り換えると、移送ホース２１、共通流路４０および移送管２３が連通される。移送ホース２１は、コンテナ２から液を移送するためのものであり、移送ホース２１の先端には移送口２０が形成されている。
【００１８】
一方、両三方弁４１，４２を、図３Ｂに示す給液モードに切り換えると、給液管３３、共通流路４０および給液ホース３１が連通される。給液ホース３１の先端には、ノズル３０が設けられている。図２に示すノズルハンガ３０Ｈには、ノズルスイッチ３０ｓが設けられている。なお、非使用時において、ノズル３０は、移動式給液機１の本体に設けられたノズルハンガ３０Ｈに掛け置かれる。
【００１９】
図２において前記共通流路４０には、ポンプ１１および流量計１２が設けられている。ポンプ１１はモータ１４により駆動される。
図３Ａに示す移送モードにおいて、ポンプ１１を駆動させると、コンテナ２の液が、移送ホース２１、共通流路４０および移送管２３を通り、タンク１０内に移送される。
一方、図３Ｂに示す給液モードにおいて、ポンプ１１を駆動させると、給液管３３、共通流路４０および給液ホース３１を通り、ノズル３０から車両３に給液される。
【００２０】
制御の構成：
制御部１５；
図２に示すように、移動式給液機１は、たとえば、マイクロコンピュータからなる制御部１５を備えている。制御部１５は、ＣＰＵ１５ａおよびメモリ１５ｂを備えている。メモリ１５ｂには、後述する総移送量が更新記憶されると共に、コンテナ２の据付時の液量（以下、「初期液量」いう）や種々の閾値などが予め記憶されている。
【００２１】
制御部１５には、図示しない制御装置を介して前記モータ１４が接続されている。制御部１５には、モータ１４の他に、前記流量計１２に接続された流量発信器１３、前記表示器１６、無線ユニット（通信手段）１７、液量計１８などの各種機器が、図示しないインターフェイスを介して互いに接続されている。
【００２２】
制御部１５には、移送スイッチ５１、給液スイッチ５２および設定スイッチ５３などのスイッチ類が接続されている。
移送スイッチ５１がＯＮに設定されると、制御部１５が移送モードに設定される。
給液スイッチ５２がＯＮに設定されると、制御部１５が給液モードに設定される。
設定スイッチ５３は、種々の設定操作を行うためのスイッチである。
【００２３】
流量計１２；
前記流量計１２は、流量発信器１３に接続されている。流量発信器１３は、流量計１２により検出された液の流量に基づき、当該流量に応じたパルス信号を発信する。制御部１５は、当該パルス信号に基づき、流量を積算する。制御部１５が移送モードに設定された場合には、コンテナ２からタンク１０に液が移送され、制御部１５は、流量発信器１３からのパルス信号に基づき、共通流路４０を流れる液の流量を積算した移送量を算出する。前記移送量は、メモリ１５ｂに記憶されている総移送量に加算され、新たな総移送量としてメモリ１５ｂに更新記憶される。
【００２４】
一方、制御部１５が給液モードに設定された場合には、タンク１０から車両３に給液され、制御部１５は、流量発信器１３からのパルス信号に基づき、共通流路４０を流れる液の流量を積算した給液量を算出する。
【００２５】
ＰＯＳ端末；
ここで、給油所に設置された事務所には、図示しないＰＯＳ端末が設けられている。制御部１５は、無線ユニット（通信手段）１７を介して、ＰＯＳ端末に無線で接続されている。無線ユニット１７には、アンテナ１７ａが接続されている。
前記給液モードにおいて、制御部１５から前記給液量がＰＯＳ端末に送信され、ＰＯＳ端末は当該給液量に応じた売り上げを算出する。
【００２６】
表示器１６；
表示器１６は、たとえば、液晶表示器などからなり、前記移送量や給液量をはじめとする種々の情報が表示される。
【００２７】
液量計１８；
前記タンク１０内には、図示しないフロートが設けられている。液量計１８は、例えば、前記フロートのレベル信号を制御部１５に出力する。制御部１５は、当該レベル信号に基づいて、タンク１０内の液量（残量）を算出する。
【００２８】
使用方法：
本移動式給液機１は、移送モードにおいてコンテナ２内の液の残量管理を行うと共に、給液モードにおいて給液した液量の算出を行うことができる。
移送モード；
まず、移送モードについて説明する。なお、以下の説明では、新規に初期液量のコンテナ２を設置した場合について、例示して説明する。
【００２９】
液の移送を行うには、まず、図３Ａに示すように、作業者がコンテナ２内に移送ホース２１の移送口２０を挿入する。新規のコンテナ２から給液を開始する場合、設定スイッチ５３を操作して、メモリ１５ｂに記憶されている前回までの総移送量を０クリアする。
【００３０】
つぎに、作業者が移送スイッチ５１をＯＮに設定すると、以下のように、コンテナ２からタンク１０への液の移送が行われる。図３Ａに示すように、両三方弁４１，４２により移送ホース２１、共通流路４０および移送管２３からなる流路が形成される。図２のモータ１４が回転してポンプ１１が始動すると、コンテナ２内の液が移送口２０から当該流路を介してタンク１０に移送される。
【００３１】
図２において移送中は、流量計１２により検出された流量に応じたパルスが流量発信器１３から制御部１５に送信され、制御部１５は当該パルスを積算したリアルタイムの移送量を表示器１６に表示させる。
【００３２】
一方、制御部１５は、液量計１８からのフロートレベル信号に基づきタンク１０内の液量を逐次算出し、当該液量とメモリ１５ｂから読み出した満タン時の液量との比較を行う。タンク１０内の液量が満タン時の液量と等しくなった場合には、制御部１５は、モータ１４を停止させて液の移送を停止させる。
【００３３】
前記停止後、作業者が設定スイッチ５３に所定の操作を行うと、制御部１５が今回の移送量を総移送量としてメモリ１５ｂに記憶させる。制御部１５は、コンテナ２の満タン時の初期液量から、当該総移送量を減算することにより、コンテナ２の現在の残量を算出する。
その後、作業者が移送ホース２１をコンテナ２から抜き取り、該移送ホース２１を移動式給液機１の所定位置に固定して液の移送が終了する。
なお、コンテナ２の残量を表示器１６に表示するようにしてもよい。また、制御部１５は、前記移送量やコンテナ２の残量を、無線ユニット１７を介してＰＯＳ端末に送信してもよい。
【００３４】
作業者は、移動式給液機１を移動させて、後述する給液モードで車両３に給液を行う。前記給液を繰り返し、タンク１０の残量が少なくなると、コンテナ２からタンク１０に２回目以降の液の移送を行う。
【００３５】
２回目以降の液の移送では、当該移送時の移送量を前回までの総移送量に加算したものを新たな総移送量として、メモリ１５ｂに更新記憶させる。
制御部１５は、メモリ１５ｂからコンテナ２の初期液量を読み出し、当該初期液量から当該総移送量を減算してコンテナ２の残量を算出する。移送を繰り返した結果、コンテナ２の残量が所定の液量以下であると制御部１５が判別した場合、コンテナ２の残量が少なくなった旨の警告を表示器１６に表示させる。
なお、ブザーなどを用いて警報を鳴らしてもよい。また、ＰＯＳ端末に当該情報を送信し、ＰＯＳ端末に当該警告を表示させてもよい。
【００３６】
このように、移動式給液機１を用いて、コンテナ２からタンク１０への液の移送を行うので、別途、コンテナ２に液の移送機構を設ける必要がない。
また、タンク１０に移送された液の積算値からなる総移送量に基づいて、コンテナ２の残量の管理を移動式給液機１が行うことができる。したがって、コンテナ２に別途、在庫管理の機器を設けることなく、本移動式給液機１を用いることにより、コンテナ２内の液の在庫管理が可能となる。
【００３７】
給液モード；
車両３に給液を行うには、まず、移動式給液機１を移動させて車両３に近づけた後、給液スイッチ５２をＯＮに設定する。制御部１５が給液モードに設定されると共に、表示器１６に給液モードであることが表示される。
作業者が、設定スイッチ５３を用いて所望する給液量、給液金額の設定（プリセット）または満タンの設定を行うと、設定内容が制御部１５に送信される。
【００３８】
つづいて、ノズル３０をノズルハンガ３０Ｈから外すと、ノズルスイッチ３０ｓがＯＮになり、ノズルスイッチ３０ｓのＯＮ信号が制御部１５に送信される。制御部１５は、ノズルスイッチ３０ｓのＯＮ信号を受信すると、モータ１４およびポンプ１１を起動させる。
【００３９】
その後、ノズル３０を車両の給液口に挿入し、ノズル３０のノズルスイッチ３０ｓを引いて給液を行う。給液中は、流量計１２により検出された流量に応じたパルスが流量発信器１３から制御部１５に送信され、制御部１５は当該パルスを積算したリアルタイムの給液量を表示器１６に表示させる。
【００４０】
この際、タンク１０内の液量が減少し、液量計１８から送信される残量が予め設定された量よりも少ないと制御部１５が判別すると、モータ１４およびポンプ１１を停止させて、給液が停止されると共に、表示器１６に所定の警告メッセージが表示させる。
【００４１】
一方、給液量を設定した場合や、満タンの場合、給液金額を設定した場合（プリセット）には、給液量が、設定された給液量あるいはプリセット値に相当する給液量に達すると、制御部１５がモータ１４およびポンプ１１を停止させて、給液を停止させる。
【００４２】
その後、ノズル３０をノズルハンガ３０Ｈに戻すと、ノズルスイッチ３０ｓがＯＦＦになり、給液が完了すると共に、ノズルスイッチ３０ｓのＯＦＦ信号が制御部１５に送信される。制御部１５は、給液完了の信号および給液量などの給液データをＰＯＳ端末に送信する。ＰＯＳ端末から請求額が印字された給液伝票が発行される。
このように、本移動式給液機１を用いて、車両３に給液を行うことができる。
【００４３】
実施例２：
つぎに、実施例２について説明する。
前述の実施例１では、タンク１０に移送された液の総移送量に基づいて、コンテナ２の残量管理を行うこととしたが、本実施例２では、給液時にノズル３０から吐出された液の積算量に基づいて、コンテナ２の残量管理を行う。
メモリ１５ｂには、実施例１で説明した総移送量の代わりに、給液量の積算された総給液量が更新記憶される。その他の構成は、実施例１と同様であり、その詳しい説明を省略する。
【００４４】
制御部１５は、前記給液モードにおいて、給液を行う毎に給液量を積算し、総給液量を算出してメモリ１５ｂに更新記憶させる。制御部１５は、コンテナ２の初期液量から当該総給液量を減算することにより、コンテナ２の残量を算出する。なお、前記総給液量は、コンテナ２が新たなコンテナに交換されると、０クリアされる。
【００４５】
このように、ノズル３０から吐出された液の積算値に基づいて、コンテナ２内の液の残量管理を制御部１５が行うことで、コンテナ２の在庫管理が可能となる。
【００４６】
なお、前述の実施例１および２においては、必ずしも液量計１８を設ける必要がない。かかる場合には、タンク１０内への移送量から、当該給液量を減算することにより、タンク１０内の液の残量を算出するようにしてもよい。
【００４７】
実施例３：
本実施例３では、液量計１８の検出値の変化に基づいて、コンテナ２の残量管理を行う。
移送モードにおいて、制御部１５は、液量計１８の検出値に基づきタンク１０に移送された液量を算出する。次回の移送モードにおいて、コンテナ２からタンク１０に液の移送が行われると、制御部１５は、液量計１８の検出値に基づく今回の液量から、移送前の残量を減算することにより、今回の液の移送量を算出する。制御部１５は、当該移送量を総移送量としてメモリ１５ｂに記憶させる。
【００４８】
制御部１５は、コンテナ２からタンク１０に液の移送を行う毎に、液量計１８の検出値に基づいて今回の移送量を算出し、総移送量に積算してメモリ１５ｂに新たな総移送量として更新記憶させる。
コンテナ２の初期液量から当該総移送量を減算することにより、コンテナ２の残量を算出することができる。
このように、液量計１８の検出値の変化に基づいて、コンテナ２内の液の残量の管理を行うことができる。
【００４９】
なお、本移動式給液機に用いる液としては、前述の尿素水などの添加剤水溶液の他に、たとえば、ガソリンや軽油、オイル等の液体を用いることができる。
また、前記実施例では、液を移送する対象としてコンテナを例示したが、コンテナの代わりに、たとえば、地下タンクや地上タンク、ドラム缶等を用いてもよい。
【００５０】
以上のとおり、図面を参照しながら好適な実施例を説明したが、当業者であれば、本明細書を見て、自明な範囲で種々の変更および修正を容易に想定するであろう。
たとえば、ポンプとしては、タンクの外に設けるタイプのものであってもよいし、タンク内に設ける液中ポンプを用いてもよい。
したがって、そのような変更および修正は、請求の範囲から定まる本発明の範囲内のものと解釈される。
【産業上の利用可能性】
【００５１】
本発明は、尿素水等の添加剤水溶液を車両に給液する移動式給液機に用いることができる。
【図面の簡単な説明】
【００５２】
【図１】図１Ａは本発明の一実施例にかかる移動式給液機の移送モードを示す概略側面図、図１Ｂは同給液モードを示す概略側面図である。
【図２】移動式給液機の概略構成図である。
【図３】図３Ａは移送モードの移動式給液機およびコンテナを示す概略構成図、図３Ｂは給液モードの移動式給液機および車両を示す概略構成図である。
【符号の説明】
【００５３】
１：移動式給液機
２：コンテナ
３：車両
１０：タンク
１１：ポンプ
１２：流量計
１３：流量発信器
１５：制御部
１６：表示器
１７：無線ユニット（通信手段）
１８：液量計
１９：車輪
２０：移送口
２１：移送ホース（流路）
２３：移送管（流路）
３０：ノズル
３０Ｈ：ノズルハンガ
３１：給液ホース（流路）
３３：給液管（流路）
４０：共通流路
【図１】
2006327592.tif 000003
【図２】
2006327592.tif 000004
【図３】
2006327592.tif 000005